(57)【要約】【課題】  メインＣＰＵが不必要に起動するのを未然に回避する。【解決手段】  車載用データアクセスユニット１に搭載されている組込み型無線通信機２は、電子メールサーバ１１から送信されたＳＭＳ発信信号が基地局１２を通じて受信されると、その受信されたＳＭＳ発信信号による着信が有効であれば、メインＣＰＵ３を起動させ、これに対して、その受信されたＳＭＳ発信信号による着信が有効でなければ、メインＣＰＵ３の起動を禁止する。【選択図】  図１
2005142642.tif 000002
【特許請求の範囲】
【請求項１】
メインＣＰＵが搭載されている車載用データアクセスユニットに搭載可能に構成された組込み型無線通信機であって、
電子メールサーバから送信されたショートメッセージサービス発信信号を受信する無線手段と、
前記無線手段により受信されたショートメッセージサービス発信信号を解析して当該ショートメッセージサービス発信信号による着信が有効であるか否かを判定し、当該ショートメッセージサービス発信信号による着信が有効である旨を検出した場合に前記メインＣＰＵを起動させると共に、当該ショートメッセージサービス発信信号による着信が有効でない旨を検出した場合に前記メインＣＰＵの起動を禁止する制御手段とを備えたことを特徴とする組込み型無線通信機。
【請求項２】
メインＣＰＵが搭載されている車載用データアクセスユニットに搭載可能に構成された組込み型無線通信機であって、
基地局から送信された着信信号を受信する無線手段と、
登録電話番号を記憶する記憶手段と、
前記無線手段により受信された着信信号に格納されている発信電話番号を抽出して前記記憶手段に記憶されている登録電話番号と同一であるか否かを判定し、両者が同一である旨を検出した場合に前記メインＣＰＵを起動させると共に、両者が同一でない旨を検出した場合に前記メインＣＰＵの起動を禁止する制御手段とを備えたことを特徴とする組込み型無線通信機。
【請求項３】
請求項１または２に記載した組込み型無線通信機と、
前記制御手段により起動されるメインＣＰＵとを備えたことを特徴とする車載用データアクセスユニット。
【請求項４】
請求項１に記載した組込み型無線通信機と、
ショートメッセージサービス発信信号を組込み型無線通信機に送信する電子メールサーバとを備え、
電子メールサーバは、ショートメッセージサービス発信信号による着信が有効であるか否かを示す暗号化データが格納されたショートメッセージサービス発信信号を組込み型無線通信機に送信し、
前記制御手段は、電子メールサーバから受信されたショートメッセージサービス発信信号に格納されている暗号化データを抽出して解読することにより、ショートメッセージサービス発信信号による着信が有効であるか否かを判定することを特徴とする電子メール通信システム。
【発明の詳細な説明】
【技術分野】
【０００１】
本発明は、メインＣＰＵが搭載されている車載用データアクセスユニットに搭載可能に構成された組込み型無線通信機、組込み型無線通信機を搭載した車載用データアクセスユニット、組込み型無線通信機と電子メールサーバとの間で電子メールを通信する電子メール通信システムに関する。
【発明の開示】
【発明が解決しようとする課題】
【０００２】
無線通信機が組込み型無線通信機としてメインＣＰＵと共に車載用データアクセスユニットに搭載されている構成では、組込み型無線通信機が着信すると、組込み型無線通信機からメインＣＰＵに起動信号が出力され、メインＣＰＵが起動するようになっている。ところが、このような構成では、組込み型無線通信機が着信する毎にメインＣＰＵが起動することになるので、ユニット全体としての消費電量が増大するという問題がある。特に、車両の盗難防止などを目的として遠隔地から車両の駐停車位置を確認可能とすべくアクセサリスイッチがオフされている状態でも組込み型無線通信機が待受動作を実行する構成で、しかも、組込み型無線通信機やメインＣＰＵがバッテリから供給される電力を動作電力として動作する構成であれば、組込み型無線通信機が頻繁に着信すると、ユニット全体としての消費電量が急激に増大することになり、ユーザの知らないうちにバッテリの電力が急激に減少してしまうという虞もある。
【０００３】
本発明は、上記した事情に鑑みてなされたものであり、その目的は、メインＣＰＵが不必要に起動するのを未然に回避することができ、ユニット全体としての消費電力を抑制することができる組込み型無線通信機、車載用データアクセスユニットおよび電子メール通信システムを提供することにある。
【課題を解決するための手段】
【０００４】
請求項１に記載した組込み型無線通信機によれば、電子メールサーバからショートメッセージサービス発信信号が無線手段に受信されると、制御手段は、その受信されたショートメッセージサービス発信信号を解析して当該ショートメッセージサービス発信信号による着信が有効であるか否かを判定し、当該ショートメッセージサービス発信信号による着信が有効である旨を検出すると、車載用データアクセスユニットに搭載されているメインＣＰＵを起動させ、これに対して、当該ショートメッセージサービス発信信号による着信が有効でない旨を検出すると、車載用データアクセスユニットに搭載されているメインＣＰＵの起動を禁止する。
【０００５】
これにより、電子メールサーバから受信されたショートメッセージサービス発信信号による着信が有効であれば、メインＣＰＵを起動させることになり、これに対して、電子メールサーバから受信されたショートメッセージサービス発信信号による着信が有効でなければ、メインＣＰＵの起動を禁止することになるので、メインＣＰＵが不必要に起動するのを未然に回避することができ、ユニット全体としての消費電力を抑制することができる。尚、この場合、ショートメッセージサービス発信信号は、携帯電話機同士で短い文字メッセージの送受信を可能とするショートメッセージサービスで規定されている信号である。
【０００６】
請求項２に記載した組込み型無線通信機によれば、基地局から送信された着信信号が無線手段に受信されると、制御手段は、その受信された着信信号に格納されている発信電話番号を抽出して記憶手段に記憶されている登録電話番号と同一であるか否かを判定し、両者が同一である旨を検出すると、車載用データアクセスユニットに搭載されているメインＣＰＵを起動させ、これに対して、両者が同一でない旨を検出すると、車載用データアクセスユニットに搭載されているメインＣＰＵの起動を禁止する。
【０００７】
これにより、基地局から受信された着信信号に格納されている発信電話番号、つまり、電子メールを発信した電子メール発信端末に割当てられている電話番号と登録電話番号とが同一であれば、メインＣＰＵを起動させることになり、これに対して、電子メールを発信した電子メール発信端末に割当てられている電話番号と登録電話番号とが同一でなければ、メインＣＰＵの起動を禁止することになるので、上記した請求項１に記載したものと同様にして、メインＣＰＵが不必要に起動するのを未然に回避することができ、ユニット全体としての消費電力を抑制することができる。
【０００８】
請求項４に記載した電子メール通信システムによれば、電子メールサーバは、ショートメッセージサービス発信信号による着信が有効であるか否かを示す暗号化データが格納されたショートメッセージサービス発信信号を組込み型無線通信機に送信し、組込み型無線通信機において、制御手段は、電子メールサーバから受信されたショートメッセージサービス発信信号に格納されている暗号化データを抽出して解読することにより、ショートメッセージサービス発信信号による着信が有効であるか否かを判定する。これにより、ショートメッセージサービス発信信号による着信が有効であるか否かの判定を暗号化データにより行うので、安全性および秘匿性を適切に確保することができる。
【発明を実施するための最良の形態】
【０００９】
以下、本発明の一実施形態について、図面を参照して説明する。まず、図１は、車載用データアクセスユニットの構成を機能ブロック図として示している。車載用データアクセスユニット１は、組込み型無線通信機２と、メインＣＰＵ３と、動作電力供給部４と、第１のインタフェース部５と、第２のインタフェース部６とを備えて構成されている。組込み型無線通信機２は、制御部７（本発明でいう制御手段）と、無線部８（本発明でいう無線手段）と、メモリ９（本発明でいう記憶手段）と、動作電力供給部１０とを備えて構成されている。
【００１０】
制御部７は、ＣＰＵ、ＲＡＭ、ＲＯＭおよびＩ／Ｏバスなどから構成されており、制御プログラムを実行して組込み型無線通信機２の動作全般を制御する。無線部８は、制御部７から入力される制御信号に基づいて無線処理を行うもので、この場合は、電子メールサーバ１１から送信されたショートメッセージサービス（以下、ＳＭＳと称する）発信信号が基地局１２を通じて受信されると、ＳＭＳ受信応答信号を基地局１２を通じて電子メールサーバ１１に送信したり、基地局１２から送信された着信信号が受信されると、着信応答信号を基地局１２に送信したりする。尚、この場合、ＳＭＳ発信信号やＳＭＳ受信応答信号や後述するＳＭＳ転送信号は、携帯電話機同士で短い文字メッセージの送受信を可能とするＳＭＳで規定されている信号である。
【００１１】
メモリ９は、ユーザにより入力された電話番号を登録電話番号としてデータベース化して記憶する。この場合、ユーザは、車両用データアクセスユニット１にカーナビゲーション装置が接続されている構成であれば、カーナビゲーション装置に配設されているメカニカルキーやカーナビゲーション装置の表示器に表示されるタッチパネルキーなどを操作することにより、任意の電話番号を登録電話番号としてメモリ９に登録することが可能になっている。動作電力供給部１０は、車両１３（図２参照）に搭載されているバッテリ（図示せず）から供給されている電力を動作電力として制御部７に供給する。
【００１２】
メインＣＰＵ３は、制御部７から起動信号が入力されることにより、起動すると共に、制御部７から起動停止信号が入力されることにより、起動を停止するように構成されており、起動した状態では制御プログラムを実行して車載用データアクセスユニット１の動作全般を制御する。動作電力供給部４は、制御部７から電力供給信号が入力されることにより、車両１３に搭載されているバッテリ（図示せず）から供給されている電力を動作電力としてメインＣＰＵ３に供給すると共に、制御部７から電力供給停止信号が入力されることにより、バッテリからメインＣＰＵ３への動作電力の供給を停止するように構成されている。
【００１３】
第１のインタフェース部５は、車両１３に搭載されているカーナビゲーション装置などとのインタフェース機能を有しており、メインＣＰＵ３とカーナビゲーション装置などとの間で行われるデータ転送を制御する。また、第２のインタフェース部６は、車両１３に搭載されている車両警報装置などとのインタフェース機能を有しており、メインＣＰＵ３と車両警報装置などとの間で行われるデータ転送を制御する。
【００１４】
図２は、システムの全体構成を概略的に示している。この場合、電子メールサーバ１４は、自身の管理下にある（位置登録されている）電子メール発信端末１５から発信信号が基地局１６を通じて受信され、電子メール発信端末１５から電子メールが基地局１６を通じて受信されると、電子メールの送信先アドレスを解読することにより、その送信先アドレスが割当てられている組込み型無線機２を管理している電子メールサーバ１１を特定し、その特定された電子メールサーバ１１に発信信号を送信する。
【００１５】
電子メールサーバ１１は、電子メールの送信元の電子メール発信端末１５を管理している電子メールサーバ１４から発信信号が受信されると、ＳＭＳ発信信号を基地局１２を通じて組込み型無線通信機２に送信したり、接続要求信号を基地局１２に送信したりする。尚、上記した構成において、電子メール発信端末１５は、例えば携帯電話機、携帯情報端末、ノート型のコンピュータ端末或いは据置型のコンピュータ端末などにより構成されるものである。
【００１６】
次に、上記した構成の作用について、図３ないし図６を参照して説明する。ここでは、
（１）ＳＭＳ発信信号によるメインＣＰＵ３の起動処理
（２）着信信号によるメインＣＰＵ３の起動処理
について順次説明する。
【００１７】
（１）ＳＭＳ発信信号によるメインＣＰＵ３の起動処理
最初に、「ＳＭＳ発信信号によるメインＣＰＵ３の起動処理」について、図３および図４を参照して説明する。尚、この処理は、本発明でいう請求項１に記載したものに対応する。
【００１８】
この場合は、電子メールサーバ１１は、電子メール発信端末１５が電子メールを発信したことに応じて、電子メールサーバ１４から送信された発信信号が受信されると、ＳＭＳ発信信号を基地局１２を通じて組込み型無線通信機２に送信する。ここで、組込み型無線通信機２において、制御部７は、これ以降、図４にフローチャートとして示す処理を実行する。
【００１９】
すなわち、制御部７は、待受状態にあるときには、電子メールサーバ１１から送信されたＳＭＳ発信信号が基地局１２を通じて無線部８に受信されたか否かを監視しており（ステップＳ１）、ＳＭＳ発信信号が無線部８に受信された旨を検出すると（ステップＳ１にて「ＹＥＳ」）、ＳＭＳ受信応答信号を無線部８から基地局１２を通じて電子メールサーバ１１に送信させ（ステップＳ２）、その受信されたＳＭＳ発信信号を解析し（ステップＳ３）、ＳＭＳ発信信号による着信が有効であるか否かを判定する（ステップＳ４）。
【００２０】
この場合、ＳＭＳ発信信号による着信が有効であるか否かの判定は、例えば電子メールサーバ１１がＳＭＳ発信信号による着信が有効であるか否かを示す識別子をヘッダとして付加したＳＭＳ発信信号を送信し、制御部７が電子メールサーバ１１から受信されたＳＭＳ発信信号にヘッダとして付加されている識別子を解読することにより行う。また、この場合、識別子が暗号化された暗号化データにより表現されていても良い。
【００２１】
ここで、制御部７は、ＳＭＳ発信信号による着信が有効である旨を検出すると（ステップＳ４にて「ＹＥＳ」）、起動信号をメインＣＰＵ３に出力すると共に、電力供給信号を動作電力供給部４に出力し、動作電力供給部４からメインＣＰＵ３へ動作電力を供給させ、メインＣＰＵ３を起動させる（ステップＳ５）。そして、制御部７は、メインＣＰＵ３から起動応答信号が入力された旨を検出すると（ステップＳ６にて「ＹＥＳ」）、ＳＭＳ転送信号をメインＣＰＵ３に出力し（ステップＳ７）、メインＣＰＵ３から発信信号が入力された旨を検出すると（ステップＳ８にて「ＹＥＳ」）、発信信号を無線部８から基地局１２に送信する（ステップＳ９）。
【００２２】
これに対して、制御部７は、ＳＭＳ発信信号による着信が有効でない旨を検出すると（ステップＳ４にて「ＮＯ」）、メインＣＰＵ３を起動させることなく、上記したステップＳ１に戻り、電子メールサーバ１１から送信されたＳＭＳ発信信号が基地局１２を通じて無線部８に受信されたか否かを再度監視する。
【００２３】
基地局１２は、組込み型無線通信機２から送信された発信信号が受信されると、接続信号を電子メールサーバ１１に送信し、電子メールサーバ１１は、基地局１２から送信された接続信号が受信されると、接続応答信号を基地局１２に送信し、基地局１２は、電子メールサーバ１１から送信された接続応答信号が受信されると、接続完了信号を組込み型無線通信機２に送信する。
【００２４】
組込み型無線通信機２において、制御部７は、基地局１２から送信された接続完了信号が無線部８に受信された旨を検出すると（ステップＳ１０にて「ＹＥＳ」）、接続完了信号をメインＣＰＵ３に出力し（ステップＳ１１）、これ以降、メインＣＰＵ３からの指示に基づいてデータ通信を実行する（ステップＳ１２）。そして、制御部７は、メインＣＰＵ３から切断信号が入力された旨を検出すると（ステップＳ１３にて「ＹＥＳ」）、切断信号を無線部８から基地局１２を通じて電子メールサーバ１１に送信させる（ステップＳ１４）。
【００２５】
電子メールサーバ１１は、組込み型無線通信機２から送信された切断信号が基地局１２を通じて受信されると、切断応答信号を基地局１２を通じて組込み型無線通信機２に送信する。
【００２６】
組込み型無線通信機２において、制御部７は、電子メールサーバ１１から送信された切断応答信号が基地局１２を通じて無線部８に受信された旨を検出すると（ステップＳ１５にて「ＹＥＳ」）、起動停止信号をメインＣＰＵ３に出力すると共に、電力供給停止信号を動作電力供給部４に出力し、動作電力供給部４からメインＣＰＵ３への動作電力の供給を停止させ、メインＣＰＵ３の起動を停止させる（ステップＳ１６）。
【００２７】
尚、上記した処理において、制御部７は、電子メールサーバ１１や基地局１２から送信される信号やメインＣＰＵ３から入力される信号を予め規定されている規定時間だけ待機しており、信号が規定時間内に受信されなかったり入力されなかったりした場合には、それ以降の処理を行うことなく、上記したステップＳ１に戻り、電子メールサーバ１１から送信されたＳＭＳ発信信号が基地局１２を通じて無線部８に受信されたか否かを再度監視することになる。
【００２８】
以上に説明した一連の処理により、組込み型無線通信機２は、電子メールサーバ１１から送信されたＳＭＳ発信信号が受信された場合に、その受信されたＳＭＳ発信信号による着信が有効であれば、メインＣＰＵ３を起動させることになり、これに対して、その受信されたＳＭＳ発信信号による着信が有効でなければ、メインＣＰＵ３の起動を禁止することになる。
【００２９】
（２）着信信号によるメインＣＰＵ３の起動処理
次に、「着信信号によるメインＣＰＵ３の起動処理」について、図５および図６を参照して説明する。尚、この処理は、本発明でいう請求項２に記載したものに対応する。
【００３０】
この場合は、電子メールサーバ１１は、電子メール発信端末１５が電子メールを発信したことに応じて、電子メールサーバ１４から送信された発信信号が受信されると、接続要求信号を基地局１２に送信し、基地局１２は、電子メールサーバ１１から送信された接続要求信号が受信されると、着信信号を組込み型無線通信機２に送信する。ここで、組込み型無線通信機２において、制御部７は、これ以降、図６にフローチャートとして示す処理を実行する。
【００３１】
すなわち、制御部７は、待受状態にあるときには、基地局１２から送信された着信信号が無線部８に受信されたか否かを監視しており（ステップＳ２１）、着信信号が無線部８に受信された旨を検出すると（ステップＳ２１にて「ＹＥＳ」）、その受信された着信信号に格納されている発信電話番号を抽出し（ステップＳ２２）、その抽出された発信電話番号とメモリ９に記憶されている発信電話番号とが同一であるか否かを判定する（ステップＳ２３）。
【００３２】
ここで、制御部７は、両者が同一である旨を検出すると（ステップＳ２３にて「ＹＥＳ」）、起動信号をメインＣＰＵ３に出力すると共に、電力供給信号を動作電力供給部４に出力し、動作電力供給部４からメインＣＰＵ３へ動作電力を供給させ、メインＣＰＵ３を起動させる（ステップＳ２４）。そして、制御部７は、メインＣＰＵ３から起動応答信号が入力された旨を検出すると（ステップＳ２５にて「ＹＥＳ」）、着信応答信号を無線部８から基地局１２に送信させる（ステップＳ２６）。
【００３３】
これに対して、制御部７は、両者が同一でない旨を検出すると（ステップＳ２３にて「ＮＯ」）、メインＣＰＵ３を起動させることなく、上記したステップＳ２１に戻り、上記したステップＳ２１に戻り、基地局１２から送信された着信信号が無線部８に受信されたか否かを再度監視する。
【００３４】
基地局１２は、組込み型無線通信機２から送信された着信応答信号が受信されると、接続応答信号を電子メールサーバ１１に送信し、電子メールサーバ１１は、基地局１２から送信された接続信号が受信されると、データ通信を実行する。これに伴って、組込み型無線通信機２において、制御部７は、これ以降、メインＣＰＵ３からの指示に基づいてデータ通信を実行する（ステップＳ２７）。
【００３５】
電子メールサーバ１１は、データ通信を終了すると、切断要求信号を基地局１２に送信し、基地局１２は、電子メールサーバ１１から送信された切断要求信号が受信されると、切断信号を組込み型無線通信機２に送信する。
【００３６】
組込み型無線通信機２において、制御部７は、基地局１２から送信された切断信号が無線部８に受信された旨を検出すると（ステップＳ２８にて「ＹＥＳ」）、起動停止信号をメインＣＰＵ３に出力すると共に、電力供給停止信号を動作電力供給部４に出力し、動作電力供給部４からメインＣＰＵ３への動作電力の供給を停止させ、メインＣＰＵ３の起動を停止させ（ステップＳ２９）、切断応答信号を無線部８から基地局１２を通じて電子メールサーバ１１に送信させる（ステップＳ３０）。
【００３７】
尚、上記した処理において、この場合も、制御部７は、基地局１２から送信される信号やメインＣＰＵ３から入力される信号を予め規定されている規定時間だけ待機しており、信号が規定時間内に受信されなかったり入力されなかったりした場合には、それ以降の処理を行うことなく、上記したステップＳ２１に戻り、基地局１２から送信された着信信号が無線部８に受信されたか否かを再度監視することになる。
【００３８】
以上に説明した一連の処理により、組込み型無線通信機２は、基地局１２から送信された着信信号が受信された場合に、その受信された着信信号から抽出された発信電話番号と登録電話番号とが同一であれば、メインＣＰＵ３を起動させることになり、これに対して、その受信された着信信号から抽出された発信電話番号と登録電話番号とが同一でなければ、メインＣＰＵ３の起動を禁止することになる。
【００３９】
ところで、上記した構成において、組込み型無線通信機２は、ＳＭＳ発信信号によるメインＣＰＵ３の起動処理を実行する機能と着信信号によるメインＣＰＵ３の起動処理を実行する機能との双方の機能を有する構成である必要はなく、いずれか一方の機能を有する構成であれば良い。また、組込み型無線通信機２がＳＭＳ発信信号によるメインＣＰＵ３の起動処理を実行する機能と着信信号によるメインＣＰＵ３の起動処理を実行する機能とのうちいずれか一方を有する構成では、電子メールサーバ１１は、組込み型無線通信機２が有している機能に応じて、ＳＭＳ発信信号を基地局１２を通じて組込み型無線通信機２に送信するか或いは接続要求信号を基地局１２に送信するかを判定すれば良い。
【００４０】
以上に説明したように本実施形態によれば、車載用データアクセスユニット１に搭載されている組込み型無線通信機２において、ＳＭＳ発信信号によるメインＣＰＵ３の起動処理を実行する場合には、電子メールサーバ１１から送信されたＳＭＳ発信信号が基地局１２を通じて受信されると、その受信されたＳＭＳ発信信号による着信が有効であれば、メインＣＰＵ３を起動させ、これに対して、その受信されたＳＭＳ発信信号による着信が有効でなければ、メインＣＰＵ３の起動を禁止するように構成したので、メインＣＰＵ３が不必要に起動するのを未然に回避することができ、ユニット全体としての消費電力を抑制することができる。
【００４１】
また、組込み型無線通信機２において、着信信号によるメインＣＰＵ３の起動処理を実行する場合には、基地局１２から送信された着信信号が受信されると、その受信された着信信号から抽出された発信電話番号とメモリ９に記憶されている登録電話番号とが同一でれば、メインＣＰＵ３を起動させ、これに対して、その受信された着信信号から抽出された発信電話番号とメモリ９に記憶されている登録電話番号とが同一でなければ、メインＣＰＵ３の起動を禁止するように構成したので、この場合も、メインＣＰＵが３不必要に起動するのを未然に回避することができ、ユニット全体としての消費電力を抑制することができる。
【００４２】
また、ＳＭＳ発信信号によるメインＣＰＵ３の起動処理を実行する場合では、ＳＭＳ発信信号による着信が有効であるか否かを示す識別子を暗号化された暗号化データにより表現することにより、安全性および秘匿性を適切に確保することができる。さらに、ＳＭＳ発信信号によるメインＣＰＵ３の起動処理を実行する場合では、電子メールサーバ１１から送信されたＳＭＳ発信信号が基地局１２を通じて組込み型無線通信機２に受信されると、組込み型無線通信機２が直ちにＳＭＳ受信応答信号を基地局１２を通じて電子メールサーバ１１に送信することにより、着信信号によるメインＣＰＵ３の起動処理を実行する場合と比較すると、組込み型無線通信機２が起動信号をメインＣＰＵ３に出力した後にメインＣＰＵ３が起動するまでに要する起動時間の大小による影響を回避することができる。
【００４３】
本発明は、上記した実施形態にのみ限定されるものではなく、以下のように変形または拡張することができる。
制御部やメインＣＰＵが車両に搭載されているバッテリから供給される電力を動作電力として動作する構成に限らず、制御部やメインＣＰＵが独自の電力供給源（例えば電池など）から供給される電力を動作電力として動作する構成であっても良く、そのように構成すれば、車両に搭載されているバッテリに何らかの要因で障害が発生したとしても、制部やメインＣＰＵの動作を確保するこができ、安全性を高めることができる。
【図面の簡単な説明】
【００４４】
【図１】本発明の一実施形態を示す機能ブロック図
【図２】システム全体の構成を概略的に示す図
【図３】シーケンス図
【図４】フローチャート
【図５】図３相当図
【図６】図４相当図
【符号の説明】
【００４５】
図面中、１は車載用データアクセスユニット、２は組込み型無線通信機、３はメインＣＰＵ、７は制御部（制御手段）、８は無線部（無線手段）、９はメモリ（記憶手段）である。
【図１】
2005142642.tif 000003
【図２】
2005142642.tif 000004
【図３】
2005142642.tif 000005
【図４】
2005142642.tif 000006
【図５】
2005142642.tif 000007
【図６】
2005142642.tif 000008